(57)【要約】【課題】耐衝撃性能を更に高める梱包具を提供する。【解決手段】容器と、伸縮自在な少なくとも一対のフィルムと、前記容器の内部空間において少なくとも一対のフィルムを張った状態で対向して固定する固定部と、を備え、前記一対のフィルム間に被梱包物を挟むように保持する、梱包具であって、前記容器は、前記内部空間が設けられた発泡合成樹脂の基材と、前記基材の外面および前記内部空間における内面を覆う、ポリウレア樹脂のコーティング層と、を備える、梱包具を提供する。【選択図】図１
2018122866.tif 000002
【特許請求の範囲】
【請求項１】
容器と、伸縮自在な少なくとも一対のフィルムと、前記容器の内部空間において少なくとも一対のフィルムを張った状態で対向して固定する固定部と、を備え、前記一対のフィルム間に被梱包物を挟むように保持する、梱包具であって、
前記容器は、前記内部空間が設けられた発泡合成樹脂の基材と、前記基材の外面および前記内部空間における内面を覆う、ポリウレア樹脂のコーティング層と、を備える、
梱包具。
【請求項２】
前記容器は、ラグビーボール形状をしている、
請求項１に記載の梱包具。
【請求項３】
前記容器は、第１容器半体と第２容器半体の開口端同士を突きあわせるように閉じることで前記第１容器半体と前記第２容器半体とが組み合って前記内部空間を形成しており、
前記一対のフィルムは、それぞれ前記第１容器半体および前記第２容器半体の開口端に沿って張った状態で固定された第１フィルムおよび第２フィルムを有する、
請求項１または２に記載の梱包具。
【請求項４】
前記容器の一端部には、前記梱包具が上空から落下したときに前記梱包具の落下速度を減速するパラシュート部を備える、
請求項１から３の何れか１項に記載の梱包具。
【請求項５】
前記容器の一端部の反対側に位置する他端部は、前記一端部に比べて、前記基材の肉厚が厚くなっている、
請求項４に記載の梱包具。
【請求項６】
前記容器の一端部の反対側に位置する他端部は、先細った形状を有する、
請求項４または５に記載の梱包具。
【発明の詳細な説明】
【技術分野】
【０００１】
本発明は、梱包具に関する。
【０００２】
従来、被梱包物を弾性フィルムに挟み込んで箱内に支持することで、被梱包物を衝撃から保護することができる梱包具が知られている（例えば、特許文献１参照）。また、関連する技術として、断熱箱の外表面にポリウレア樹脂の被覆を形成した断熱箱が知られている（例えば、特許文献２）。
［先行技術文献］
［特許文献］
［特許文献１］  特開２００５−２４７４１２号公報
［特許文献２］  特開平８−２８２７４３号公報
【発明の概要】
【発明が解決しようとする課題】
【０００３】
例えば、無人航空機を用いて梱包具を地上に落下させ配達する場合には、梱包具の耐衝撃性能を更に高めることが好ましい。
【課題を解決するための手段】
【０００４】
本発明の一の態様においては、梱包具を提供する。梱包具は、容器と、伸縮自在な少なくとも一対のフィルムと、固定部とを備えてよい。固定部は、容器の内部空間において少なくとも一対のフィルムを張った状態で対向して固定してよい。梱包具は、一対のフィルム間に被梱包物を挟むように保持してよい。容器は、発泡合成樹脂の基材と、ポリウレア樹脂のコーティング層とを備えてよい。発泡合成樹脂の基材は、内部空間が設けられてよい。ポリウレア樹脂のコーティング層は、基材の外面および内部空間における内面を覆ってよい。
【０００５】
容器は、ラグビーボール形状をしてよい。
【０００６】
容器は、第１容器半体と第２容器半体の開口端同士を突きあわせるように閉じることで第１容器半体と第２容器半体とが組み合って内部空間を形成してよい。一対のフィルムは、第１フィルムおよび第２フィルムを有してよい。第１フィルムおよび第２フィルムは、それぞれ第１容器半体および第２容器半体の開口端に沿って張った状態で固定されてよい。
【０００７】
容器の一端部には、パラシュート部を備えてよい。パラシュート部は、梱包具が上空から落下したときに梱包具の落下速度を減速してよい。
【０００８】
容器の一端部の反対側に位置する他端部は、一端部に比べて、基材の肉厚が厚くなっていてよい。
【０００９】
容器の一端部の反対側に位置する他端部は、先細った形状を有してよい。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】本発明の第１の実施形態における梱包具１００の一例を示す断面図である。
【図２】梱包具１００を開いた状態を示す図である。
【図３】パラシュート部１７０を開いた状態の梱包具１００を示す図である。
【図４】梱包具１００の他の例を示す図である。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、本発明の第１の実施形態における梱包具１００の一例を示す断面図である。図２は、図２は、梱包具１００を開いた状態を示す図である。梱包具１００は、被梱包物１０２を梱包する。特に、梱包具１００は、空輸されて上空から落下させて目的地に配達されてよい。被梱包物１０２は、特に限定されないが、各種ワクチン等の医薬品等の空輸に適する。
【００１４】
梱包具１００は、第１容器半体１１０、第２容器半体１２０、および少なくとも一対のフィルム１４０を備える。第１容器半体１１０と第２容器半体１２０の開口端同士を突き合わせるように閉じることによって容器（１１０、１２０）が形成される。本例では、第１容器半体１１０と第２容器半体１２０とが組み合って内部空間１３０を形成している。なお、第１容器半体１１０と第２容器半体１２０とは、必ずしも同じ大きさでなくてもよい。
【００１５】
本例の容器（１１０、１２０）は、全体として長軸が回転軸となった回転楕円体形状（長球形状）をしている。すなわち、容器（１１０、１２０）は、ラグビーボール形状をしている。容器（１１０、１２０）が、ラグビーボール形状をしていることによって、梱包具１００を空輸して配達時に自由落下させたときの落下姿勢が安定するとともに、風の影響を受けづらくなる。容器（１１０、１２０）の大きさは限定されないが、長軸の長さが０．５ｍ以上１０ｍ以下であってよい。本例では、長軸に沿った切り離し面において、容器（１１０、１２０）は、第１容器半体１１０と第２容器半体１２０に分割されていてよい。
【００１６】
本例の容器（１１０、１２０）において、第１容器半体１１０は、基材１１２、外面コーティング層１１４、および内面コーティング層１１６を有する。基材１１２は、発泡合成樹脂で形成される。
【００１７】
一例として基材１１２を形成する合成樹脂は、高分子化合物である。より具体的な例として、基材１１２を形成する合成樹脂は、ポリスチレン、ポリエチレン、ポリプロピレンおよびポリウレタンから選択された１以上の材料で形成される。発泡合成樹脂とは、これらの合成樹脂中に微細な気泡を分散させたものを指す。一つの実施例において、基材１１２は発泡スチロール（発泡ポリスチレン）で形成される。
【００１８】
外面コーティング層１１４および内面コーティング層１１６は、ポリウレア樹脂のコーティング層である。外面コーティング層１１４は、基材１１２の外面１１７を覆う。内面コーティング層１１６は、基材１１２の内面１１８を覆う。内面１１８は、内部空間１３０に露出する面を指す。コーティング層（１１４、１１６）は、基材１１２の全面に形成されてもよい。図１および図２に示される例では、コーティング層（１１４、１１６）は、開口端を覆っていないが、図１および図２の場合と異なり、コーティング層（１１４、１１６）が、基材１１２の外面１１７および内面１１８のみならず、開口端を覆ってもよい。開口端は、基材１１２の外面１１７と内面１１８との間の面を指す。
【００１９】
コーティング層（１１４、１１６）の厚みは、基材１１２の厚みより小さい。一例として、基材１１２の厚みは３ｃｍ以上であり、コーティング層（１１４、１１６）の厚みは５ｍｍ以下である。
【００２０】
第２容器半体１２０は、基材１２２、外面コーティング層１２４、および内面コーティング層１２６を有する。これらの構造は、第１容器半体１１０における基材１１２、外面コーティング層１１４、および内面コーティング層１１６の構造と同様であってよい。したがって、繰り返しの説明を省略する。
【００２１】
一対のフィルム１４０は、第１フィルム１４０ａと第２フィルム１４０ｂとを備える。第１フィルム１４０ａは、第１容器半体１１０の開口端に沿って張った状態で固定される。第２フィルム１４０ｂは、第２容器半体１２０の開口端に沿って張った状態で固定される。
【００２２】
第１フィルム１４０ａおよび第２フィルム１４０ｂは、容器（１１０、１２０）が形成する内部空間１３０において、第１フィルム１４０ａおよび第２フィルム１４０ｂが張った状態で対向して固定される。梱包具１００は、固定部１４２を備える。第１フィルム１４０ａおよび第２フィルム１４０ｂは、それぞれ固定部１４２によって容器（１１０、１２０）の開口端に固定される。固定部１４２は、接着材であってもよく、第１フィルム１４０ａおよび第２フィルム１４０ｂを挟み込んで固定してもよい。固定部１４２の構造は、限定されない。複数対のフィルム１４０が互いに平行に張られていてもよい。
【００２３】
第１フィルム１４０ａおよび第２フィルム１４０ｂは、伸縮自在な弾力性を有するフィルムである。第１フィルム１４０ａおよび第２フィルム１４０ｂは、例えば、ポリウレタン、ポリエチレン、およびポリプロピレン等のプラスチックフィルムからなる。一例において、第１フィルム１４０ａおよび第２フィルム１４０ｂの厚さは、８０μｍ以上、１００μｍ以下であってよい。
【００２４】
本例の梱包具１００は、一対のフィルム１４０間に被梱包物１０２を挟むように保持する。被梱包物１０２は、さらに緩衝材によって包まれた状態で、一対のフィルム１４０間に挟まれてもよい。緩衝材は、一対のフィルム１４０間において被梱包物１０２が移動することを規制してもよい。梱包具１００は、結合部１５０を有してよい。結合部１５０は、第１容器半体１１０と第２容器半体１２０とを結合する。本例の結合部１５０は、突出部１５１、支持部１５３、および留め金部１５５を含んでいる。
【００２５】
突出部１５１は、一端が第１容器半体１１０における基材１１２内に埋め込まれており、他端が表面に突出している。本例の突出部１５１の一端は、基材１１２内において屈曲した屈曲部１５２を有しており、抜けづらくなっている。支持部１５３は、一端が第２容器半体１２０における基材１２２内に埋め込まれており、他端には、留め金部１５５が回動自在に接続されている。留め金部１５５が突出部１５１と嵌合することによって固定される。支持部１５３の一端は、基材１２２内において、屈曲した屈曲部１５４を有しており、抜けづらくなっている。
【００２６】
但し、結合部１５０は、第１容器半体１１０と第２容器半体１２０とを結合するものであれば特に限定されない。また、図２では、第１容器半体１１０と第２容器半体１２０とが完全に分離している状態を示しているが、この場合に限られず、第１容器半体１１０と第２容器半体１２０とは、ヒンジ部によって開閉自在に接続されてよい。この場合は、第１容器半体１１０と第２容器半体１２０とは、閉じられた状態で、さらに、結合部１５０によって第１容器半体１１０と第２容器半体１２０が閉状態を維持するように固定されてよい。
【００２７】
容器（１１０、１２０）の一端部には、梱包具１００が上空から落下したときに梱包具１００の落下速度を減速するパラシュート部を備える。図１および図２においては、回転楕円体の短軸に沿う一端部に、パラシュート格納部１６０が取り付けられている。容器（１１０、１２０）の一端部に反対側に位置する他端部は、一端部の基材１１２に比べて基材１２２の肉厚が厚くてよい。他端部は、一端部の外面コーティング層１１４に比べて外面コーティング層１２４の肉厚が厚くてよい。梱包具１００全体の肉厚に関して、他端部の肉厚Ｄ１は、パラシュート部を備える一端部の肉厚Ｄ２より厚くてよい。
【００２８】
パラシュート部を開いて梱包具１００が落下するとき、パラシュート部と反対側の他端部が地表に衝突する。したがって、地表に衝突する他端部側の基材１２２の厚さを一端部側の基材１１２より厚くすることで、耐衝撃性を高めることができる。
【００２９】
また、梱包具１００には、ＧＰＳ発信機１５８が設けられていてよい。ＧＰＳ発信機１５８が設けられる位置は、特に限定されない。本例では、パラシュート収容部１６０に凛冽して、ＧＰＳ発信機１５８が設けられる。ＧＰＳ発信機１５８は、ＧＰＳ（グローバル・ポジショニング・システム）を利用して、梱包具１００の現在の位置に関する位置情報を取得する。位置情報は、ＧＰＳ位置情報であってよい。そして、ＧＰＳ発信機１５８は、取得した位置情報を無線通信によって発信する。ＧＰＳ発信機１５８は、携帯電話会社等の電波を利用して位置情報を発信してもよい。
【００３０】
ＧＰＳ発信機１５８は、自動で位置情報を取得して、自動で発信する自動追跡型のＧＰＳ発信機であってもよい。一方、サーバ側からの指令に基づいてＧＰＳ発信機１５８が指示を受信した場合に、ＧＰＳ発信機１５８が現在の位置情報を発信してもよい。着地の衝撃を加速度センサ等で検知し、着地の衝撃を検知した場合に、ＧＰＳ発信機１５８が位置情報を発信するように構成してもよい。この場合、ＧＰＳ発信機１５８から発信された位置情報を発信することによって、配達業者等は、梱包具１００が無事に着地したことを知ることができる。
【００３１】
発信されたＧＰＳ位置情報は、サーバによって取得されて、利用される。サーバにアクセスすることにより、配達元、配達先、および／または配達業者は、現在の被梱包物の位置を知ることができる。また、パラシュート部を開いて梱包具１００が落下するとき、風の影響で、目的地からずれて落下する場合があり得る。この場合も、ＧＰＳ発信機１５８によって、梱包具１００の位置を把握することができるので、荷物を紛失することがない。但し、本例と異なり、梱包具１００は、ＧＰＳ発信機１５８を備えていなくてもよい。
【００３２】
図３は、パラシュート部１７０を開いた状態の梱包具１００を示す図である。パラシュート部１７０は、パラシュート格納部１６０内に収容されている。梱包具１００が落下を開始して、予め定められた時間が経過したこと、あるいは、予め定められた速度に達したことをトリガとして、パラシュート部１７０がパラシュート格納部１６０から外に出て、自動的にパラシュート部１７０が開くように構成してよい。パラシュート部１７０は、傘体１７２と、複数の紐部１７４とを備えている。紐部１７４の一端は、パラシュート格納部１６０に結合しており、他端は、傘体１７２に結合している。
【００３３】
本例において、基材（１１２、１２２）は、発泡合成樹脂で形成されるので、非常に軽量である。また、コーティング層（１１４、１１６、１２４、１２６）は、ポリウレア樹脂で形成されるので、高強度、優れた耐水性、および、優れた耐衝撃性を有する。このため、基材（１１２、１２２）の表面をコーティング層（１１４、１１６、１２４、１２６）でコーティングすることで、超軽量で、強度、耐水性、および、耐衝撃性に優れた梱包具１００を提供できる。
【００３４】
本例の梱包具１００は、非常に軽量であるので、運搬および保存等を容易にして、搬送等にかかるエネルギー等のコストを低減することができる。このため、環境対策にも貢献できる。
【００３５】
本例の梱包具１００は、非常に軽量であるので、パラシュート部１７０にかかる負担が金属で作られた梱包具の場合に比べて少ない。したがって、金属で作られた梱包具の場合に比べてパラシュート部１７０を小さくすることができるので、パラシュート格納部１６０の設置スペースも小さくできる。
【００３６】
本例の梱包具１００は、外形が、回転楕円体をしている。したがって、配達時に自由落下させたときの落下姿勢が安定するとともに、風の影響を受けづらくすることができる。梱包具１００は、少なくとも、パラシュート部１７０を開くときまで、風の影響を受けづらくなる。
【００３７】
図４は、梱包具１００の他の例を示す図である。図１および図２に示した梱包具１００においては、回転楕円体の長軸に沿った切り離し面において、容器（１１０、１２０）が、第１容器半体１１０と第２容器半体１２０に分割されていた。これに対し、本例の梱包具１００においては、容器（１１０、１２０）は、回転楕円体の短軸に沿った切り離し面において、第１容器半体１１０と第２容器半体１２０とに分割される。なお、説明の簡便のために、図４においては、結合部１５０は図示していない。本例においても、図１および図２に説明した結合部１５０を含んでよい。
【００３８】
本例においては、容器（１１０、１２０）の一端部には、パラシュート格納部１６０が設けられる。本例においても、容器（１１０、１２０）の一端部には、梱包具１００が上空から落下したときに梱包具１００の落下速度を減速するパラシュート部１７０を備える。容器（１１０、１２０）の一端部に反対側に位置する他端部は、一端部の基材１１２に比べて基材１２２の肉厚が厚くなっている。他端部は、一端部の外面コーティング層１１４に比べて外面コーティング層１２４の肉厚が厚くてよい。梱包具１００全体の肉厚も、他端部の肉厚Ｄ１は、パラシュート部１７０を備える一端部の肉厚Ｄ２より厚くてよい。
【００３９】
本例によれば、容器（１１０、１２０）において長軸に沿う一端部に、パラシュート部１７０を備える。それゆえ、容器（１１０、１２０）の一端部の反対側に位置する他端部は、先細った形状を有する。したがって、パラシュート部１７０が開いた後も、先細った形状を有する他端部が鉛直方向に向く姿勢で落下することができるので、風の影響をさらに軽減することができる。
【００４０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【００４１】
１００・・・梱包具、１０２・・・被梱包物、１１０・・・第１容器半体、１１２・・・基材、１１４・・・外面コーティング層、１１６・・・内面コーティング層、１１７・・・外面、１１８・・・内面、１２０・・・第２容器半体、１２２・・・基材、１２４・・・外面コーティング層、１２６・・・内面コーティング層、１３０・・・内部空間、１４０・・・フィルム、１４２・・・固定部、１５０・・・結合部、１５１・・・突出部、１５２・・・屈曲部、１５３・・・支持部、１５４・・・屈曲部、１５５・・・留め金部、１５８・・・ＧＰＳ発信機、１６０・・・パラシュート格納部、１７０・・・パラシュート部、１７２・・・傘体、１７４・・・紐部
【図１】
2018122866.tif 000003
【図２】
2018122866.tif 000004
【図３】
2018122866.tif 000005
【図４】
2018122866.tif 000006